(57)【要約】【課題】  背面投影型スクリーン及び遠隔の面に択一的に画像を投影する。【解決手段】  本発明では、スクリーン（６）と、開口（１８）を有し、前記スクリーン（６）の第１の面から離れる方向に延在するハウジング（１０）と、前記ハウジング（１０）内に配置されるミラー（１２）と、前記ミラー（１２）に投影するために前記開口（１８）に選択的に係合し、且つある面に投影するために前記スクリーン（６）の第２の面から離れる方向に延出するように、前記ハウジング（１０）に対して移動可能であるプロジェクタ（１４）とを具備する表示装置（２）を提供する。【選択図】図３
2006119650.tif 000002
【特許請求の範囲】
【請求項１】
スクリーンと、
開口を有し、前記スクリーンの第１の面から離れる方向に延在するハウジングと、
前記ハウジング内に配置されるミラーと、
前記ミラーに投影するために前記開口に選択的に係合し、且つある面に投影するために前記スクリーンの第２の面から離れる方向に延出するように、前記ハウジングに対して移動可能であるプロジェクタと
を具備する表示装置。
【請求項２】
前記スクリーンが取り付けられる基部をさらに含む請求項１に記載の表示装置。
【請求項３】
前記プロジェクタが取り付けられる基部をさらに含む請求項１に記載の表示装置。
【請求項４】
前記ミラーに投影するために前記開口に選択的に係合するように前記ハウジングに対して移動可能である前記プロジェクタでは、前記開口を通して、前記ミラーに投影するために前記開口に選択的に係合するように前記ハウジングに対して移動可能な前記プロジェクタを含む請求項１に記載の表示装置。
【請求項５】
前記プロジェクタがさらに垂直に枢動可能である請求項１に記載の表示装置。
【請求項６】
スクリーンと、
開口を有し、前記スクリーンと共に第１の位置と第２の位置との間において移動可能であるように該スクリーンに取り付けられるハウジングと、
前記ハウジング及び前記スクリーンが前記第１の位置にある時に該スクリーンに投影するために前記開口に係合し、前記ハウジング及び前記スクリーンが前記第２の位置にある時にある面に投影するために前記開口から外れるプロジェクタと
を具備する表示装置。
【請求項７】
前記プロジェクタからの光を前記スクリーン上に反射するために構成されるミラーをさらに含む請求項６に記載の表示装置。
【請求項８】
前記スクリーン及び前記ハウジングが枢着される（pivotally mounted）基部をさらに含む請求項６に記載の表示装置。
【請求項９】
前記スクリーン及び前記ハウジングが取り外し可能に取り付けられる基部をさらに含む請求項６に記載の表示装置。
【請求項１０】
前記プロジェクタが前記開口に係合し、且つ該開口から外れるように移動可能である請求項６に記載の表示装置。
【発明の詳細な説明】
【技術分野】
【０００１】
本発明は、表示装置に関し、特に、背面投影型スクリーン及び遠隔の面に択一的に画像を投影する表示装置に関する。
【背景技術】
【０００２】
背面投影型表示装置及びプロジェクタ表示装置は、画像及びビデオストリームを表示するために有用である。それらを使用する例として、テレビ及びプレゼンテーションが含まれる。各々の最良の特質を活用するために、背面投影型表示装置及びプロジェクタ表示装置の両方があることが望ましいことが多い。これら表示装置の種類をそれぞれ１つずつ所有することは、これらの装置のいずれか一方のみを所有することより費用がかかり、且つより広い空間を使用することになる。
【発明の開示】
【発明が解決しようとする課題】
【０００３】
解決しようとする問題点は、表示装置が背面投影型スクリーン及び遠隔の面に択一的に画像を投影する点である。
【課題を解決するための手段】
【０００４】
本発明の表示装置は、スクリーンと、開口を有し、前記スクリーンの第１の面から離れる方向に延在するハウジングと、前記ハウジング内に配置されるミラーと、前記ミラーに投影するために前記開口に選択的に係合し、且つある面に投影するために前記スクリーンの第２の面から離れる方向に延出するように、前記ハウジングに対して移動可能であるプロジェクタとを具備する。
【発明を実施するための最良の形態】
【０００５】
図１乃至図４は、表示装置２の一実施形態を示す。表示装置２は、画像を遠隔の面４及び背面投影型スクリーン６に択一的に投影する。一実施形態では、表示装置２は、背面投影型スクリーン６と、基部８と、ハウジング１０と、ミラー１２と、プロジェクタ１４とを有する。
【０００６】
基部８は、プロジェクタ１４と、一構成では、背面投影型スクリーン６及びハウジング１０とを支持する。基部８は、任意の適当なサイズ及び形状である。一実施形態では、基部８は、図２及び図４に示すようにハウジング１０を受け入れるような形状である。
【０００７】
一実施形態では、基部８内に引出し１６が支持されている。プロジェクタ１４は、引出し１６内に収まるようなサイズであり、画像を投影するために引出し１６から部分的に現れるように構成されている。一実施形態では、プロジェクタ１４は、引出し１６内で垂直に枢動（pivoting）することにより部分的に現れる。
【０００８】
背面投影型スクリーン６は、一方の側に投影を受け入れその他方の側に投影を透過させるために有用な任意のスクリーンである。基準として、スクリーン６は、前方の面６ａ及び後方の面６ｂを有する。背面投影型スクリーン６は、基部８上に取り付けられる。一実施形態では、背面投影型スクリーン６は、ハウジング１０を通して間接的に基部８上に取り付けられる。代替実施形態では、背面投影型スクリーン６は、基部８上に直接取り付けられる。
【０００９】
背面投影型スクリーン６は、基部８から取外し可能であるか又は基部８上で移動可能であることにより、プロジェクタ１４の投影経路外に配置することができる。背面投影型スクリーン６が基部８上で移動可能である一実施形態では、背面投影型スクリーン６は、基部８上で図１及び図３に示すような直立位置と、図２及び図４に示すような下降位置との間で枢動可能である。
【００１０】
ハウジング１０は、背面投影型スクリーン６の後方に、又はスクリーン６の面６ａから離れる方向に延在する。ハウジング１０は、ミラー１２を支持する。一実施形態では、ハウジング１０は、ミラー１２と、背面投影型スクリーン６の一方の面とを収容する。
【００１１】
ハウジング１０には、プロジェクタ１４を受け入れる開口１８が形成されている。プロジェクタ１４は、開口１８を通してミラー１２上に投影する。
【００１２】
ミラー１２は、任意の光反射面である。ミラー１２は、ハウジング１０内に配置され、プロジェクタ１４からの光を背面投影型スクリーン６上に反射するように角度が付けられている。図には１つのミラー１２しか示していないが、プロジェクタ１４からの光を背面投影型スクリーン６上に導くために任意の数のミラー１２を使用してもよい。
【００１３】
プロジェクタ１４は、基部８上に取り付けられており、基部８に対して移動可能である。１つの位置では、プロジェクタ１４は、開口１８に係合し、開口１８を通してミラー１２に投影する。別の位置では、プロジェクタ１４は、面４上に投影するために、背面投影型スクリーン６の前方に、又はスクリーン６の面６ｂから離れる方向に延出する。
【００１４】
一実施形態では、プロジェクタ１４はレンズ２０を有する。レンズ２０は、表示装置２の構成に応じて、背面投影型スクリーン６及び面４に択一的に焦点合せするように調整可能である。
【００１５】
図５は、方法の一実施形態のステップを表すフローチャートである。図５に表すステップは特定の順序で示すが、開示する主題は、ステップの順序の変形を包含する。さらに、特許請求する主題の範囲から逸脱することなく図５に示すステップ間で追加のステップを実行してもよい。
【００１６】
表示装置２のハウジング１０を、プロジェクタ１４の周囲から取り外す２２。一実施形態では、ハウジング１０を取り外すこと２２には、基部８からハウジング１０を取り外すことが含まれる。代替実施形態では、表示装置２のハウジング１０をプロジェクタ１４の周囲から取り外すこと２２には、プロジェクタ１４を露出させるようにハウジング１０を基部８上で枢動させることが含まれる。
【００１７】
プロジェクタ１４を、基部８内で前方に再配置する２４。一実施形態では、プロジェクタ１４を、引出し１６内で再配置する２４。別法として、プロジェクタ１４を、引出し１６外で再配置する２４。
【００１８】
追加の任意のステップを実施してもよい。たとえば、一実施形態では、プロジェクタ１４のレンズ２０を、面４上に焦点合せするように調整する２６。別の任意のステップでは、プロジェクタ１４のアスペクト比を４：３と１６：９の間で調整する２８。さらなる任意のステップは、プロジェクタ１４を垂直に枢動させること３０である。プロジェクタ１４を、面４上に投影するために垂直に枢動させる３０。
【００１９】
図６は、図５のステップの順序及び効果を逆にする、方法の別の実施形態のステップを表すフローチャートである。図６に表すステップは特定の順序で示すが、開示する主題は、ステップの順序の変形を包含する。さらに、特許請求する主題の範囲から逸脱することなく図６に示すステップ間で追加のステップを実行してもよい。
【００２０】
プロジェクタ１４を、基部８内で後方に再配置する３２。一実施形態では、プロジェクタ１４を、引出し１６内で再配置する３２。別法として、プロジェクタ１４を、引出し１６外で再配置する３２。
【００２１】
プロジェクタ１４を、表示装置２のハウジング１０内に収容する。一実施形態では、ハウジング１０を基部８に且つプロジェクタ１４の周りに取り付けることによって、プロジェクタ１４をハウジング１０内に収容する３４。代替実施形態では、プロジェクタ１４を収容するようにハウジング１０を基部８上で枢動させることにより、プロジェクタ１４をハウジング１０内に収容する３４。
【００２２】
追加の任意のステップを実施してもよい。たとえば、一実施形態では、プロジェクタ１４のレンズ２０を、背面投影型スクリーン６上に焦点合せするように調整する３６。別の任意のステップでは、プロジェクタ１４のアスペクト比を１６：９と４：３の間で調整する３８。さらなる任意のステップは、プロジェクタ１４を垂直に枢動させること４０である。プロジェクタ１４を、背面投影型スクリーン６上に投影するために垂直に枢動させる４０。
【００２３】
図７は、方法の別の実施形態のステップを表すフローチャートである。図７に表すステップは特定の順序で示すが、開示する主題は、ステップの順序の変形を包含する。さらに、特許請求する主題の範囲から逸脱することなく図７に示すステップ間で追加のステップを実行してもよい。
【００２４】
プロジェクタ１４をハウジング１０の開口１８から外す４２。ハウジング１０及びスクリーン６を、プロジェクタ１４が面４に投影することができるように配置する４４。一実施形態では、ハウジング１０及びスクリーン６を配置すること４４には、プロジェクタ１４を露出させるようにハウジング１０及びスクリーン６を基部８から取り外すことが含まれる。代替実施形態では、ハウジング１０及びスクリーン６を配置すること４４には、プロジェクタ１４を露出するようにハウジング１０を基部８上で枢動させることが含まれる。
【００２５】
追加の任意のステップを実施してもよい。たとえば、一実施形態では、プロジェクタ１４のレンズ２０を、面４上に焦点合せするように調整する２６。別の任意のステップでは、プロジェクタ１４のアスペクト比を４：３と１６：９との間で調整する２８。さらなる任意のステップは、プロジェクタ１４を垂直に枢動させること３０である。プロジェクタ１４を、面４上に投影するために垂直に枢動させる３０。
【００２６】
図８は、図７のステップの順序及び効果を逆にする、方法の別の実施形態のステップを表すフローチャートである。図８に表すステップは特定の順序で示すが、開示する主題は、ステップの順序の変形を包含する。さらに、特許請求する主題の範囲から逸脱することなく図８に示すステップ間で追加のステップを実行してもよい。
【００２７】
ハウジング１０及びスクリーン６を、プロジェクタ１４がスクリーン６に投影することができるように配置する４６。一実施形態では、ハウジング１０を基部８に取り付けることによって、ハウジング１０及びスクリーン６を配置する４６。代替実施形態では、ハウジング１０を基部８上で枢動させることによって、ハウジング１０及びスクリーン６を配置する４６。プロジェクタ１４を、ハウジング１０の開口１８に係合させる４８。
【００２８】
追加の任意のステップを実施してもよい。たとえば、一実施形態では、プロジェクタ１４のレンズ２０を、背面投影型スクリーン６上に焦点合せするように調整する３６。別の任意のステップでは、プロジェクタ１４のアスペクト比を１６：９と４：３との間で調整する３８。更なる任意のステップは、プロジェクタ１４を垂直に枢動させること４０である。プロジェクタ１４を、背面投影型スクリーン６上に投影するために垂直に枢動させる４０。
【００２９】
上述した説明は、単にいくつかの実施形態を例示するものである。当業者は、特許請求する主題から逸脱することなくさまざまな代替態様及び変更態様を考案することができる。したがって、特許請求する主題は、かかる代替態様、変更態様及び変化をすべて包含する。
【図面の簡単な説明】
【００３０】
【図１】画像を遠隔の面及び背面投影型スクリーンに択一的に投影する表示装置の一実施形態の第１の位置を示す正面直交図である。
【図２】図１に示す表示装置の実施形態の第２の位置を示す正面直交図である。
【図３】図１に示す位置における表示装置の実施形態の断面図である。
【図４】図２に示す位置における表示装置の実施形態の断面図である。
【図５】表示装置を背面投影型表示装置から前面投影型表示装置に切り替える方法の一実施形態を示すフローチャートである。
【図６】表示装置を前面投影型表示装置から背面投影型表示装置に切り替える方法の一実施形態を示すフローチャートである。
【図７】表示装置を背面投影型表示装置から前面投影型表示装置に切り替える方法の別の実施形態を示すフローチャートである。
【図８】表示装置を前面投影型表示装置から背面投影型表示装置に切り替える方法の別の実施形態を示すフローチャートである。
【符号の説明】
【００３１】
２        表示装置
４        面
６        スクリーン
８        基部
１０      ハウジング
１２      ミラー
１４      プロジェクタ
１６      引出し
１８      開口
【図１】
2006119650.tif 000003
【図２】
2006119650.tif 000004
【図３】
2006119650.tif 000005
【図４】
2006119650.tif 000006
【図５】
2006119650.tif 000007
【図６】
2006119650.tif 000008
【図７】
2006119650.tif 000009
【図８】
2006119650.tif 000010